(57)【要約】【課題】サイズの小さい紙葉類や大部分が細断された状態の紙葉類がカッタに詰まった場合であっても、簡単に除去することのできる紙葉類細断装置を提供する。【解決手段】シャッタ１９が投入部１３の適所において支持軸１８に回動自在に設置されており、通常、時計回りの回動が第２側壁１１により規制される第１の姿勢とされ、平板部１９ｂの先端及び把持部１９ｃは第３側壁１２に向かって第４側壁１４の壁面から所定量突出し、この突出端とこれに対向する第３側壁１２との距離は細断限度枚数の紙葉類の束幅に設定されている。シャッタ１９は、把持部１９ｃの先端が第１側壁１０に当接する第２の姿勢まで第１の姿勢から回動し、第２の姿勢のとき第４側壁１４の壁面から第３側壁１２に向かう方向に非突出の状態となる。【選択図】図１
2008105002.tif 000002
【特許請求の範囲】
【請求項１】
互いに噛合され、噛合部位で紙葉類を細断する一対のカッタと、前記一対のカッタを細断方向及びその逆方向へ回転させる駆動源とを備えた紙葉類細断装置であって、
前記紙葉類を前記一対のカッタの噛合部位に向けて案内する所要隙間を有する案内路と、
前記案内路の入口側に連設され、前記案内路に向けて先端側の隙間が窄まる対向側壁を有する投入部と、
前記投入部の先端部近傍において一方の前記対向側壁と平行な軸回りに所要の角度範囲で回動可能に設けられ、他方の前記対向側壁との隙間が、前記紙葉類の投入方向と同一方向となる回動方向の終端で第１の寸法となり、その他の範囲で前記第１の寸法より大きな第２の寸法となる外周形状を有する規制部材と、
前記一対のカッタの逆方向への回転を指示する入力を行うための入力操作部と、
前記入力操作部から前記入力があると、設定回動量を上限として前記駆動源に前記一対のカッタの逆方向への回転を行わせる制御部とを備えたことを特徴とする紙葉類細断装置。
【請求項２】
前記設定回動量は、前記駆動源の駆動時間として設定されたものであることを特徴とする請求項１に記載の紙葉類細断装置。
【請求項３】
前記規制部材は、前記外周の一部に回動動作を行わせる操作部を有することを特徴とする請求項１または２に記載の紙葉類細断装置。
【請求項４】
前記規制部材を、前記紙葉類の投入方向と同一方向となる回動方向の終端に向けて付勢する付勢部材が設けられていることを特徴とする請求項１または２に記載の紙葉類細断装置。
【請求項５】
前記他方の対向側壁と前記案内路とは、ディスク状の記録媒体の通過を規制する屈曲形状をなして連設されていることを特徴とする請求項１ないし４のいずれかに記載の紙葉類細断装置。
【請求項６】
前記制御部は、前記入力操作部に対する入力回数をカウントするカウント部と、
前記カウント部によるカウント値が予め決められたタイミングでリセットされるまでの前記入力回数について予め設定された上限値と、入力回数１回あたりの前記一対のカッタによる逆方向の回転時間とを記憶する記憶部とを備え、
前記制御部は、前記上限値までの範囲内で前記入力操作部による指示を受け付け、１回の入力回数につき前記回転時間だけ前記一対のカッタを逆方向に回転させることを特徴とする請求項１ないし５のいずれかに記載の紙葉類細断装置。
【請求項７】
前記他方の対向側壁における前記規制部材より微小寸法だけ開口側の位置に、圧力を検知する圧力検知部が前記他方の対向側壁と面一状に設置されており、
前記制御部は、前記圧力検知部から圧力を受けた旨の信号を受信すると、前記一対のカッタの動作を停止させることを特徴とする請求項１ないし６のいずれかに記載の紙葉類細断装置。
【請求項８】
前記規制部材の前記終端を超える前記規制部材の過回動を検知媒体を用いて検知する過回動検知部を備え、
前記制御部は、前記過回動検知部から過回動状態を示す信号を受信すると、前記一対のカッタの動作を停止させることを特徴とする請求項１ないし６のいずれかに記載の紙葉類細断装置。
【請求項９】
前記過回動検知部は、前記規制部材の回動により位置関係が相対的に変化する磁気センサと磁石とを備えて成り、
前記制御部は、前記磁気センサの出力信号レベルが、前記第１の寸法を含む予め定められた寸法範囲に対応するレベル範囲内にあるときには、前記一対のカッタに、前記紙葉類の投入方向と同一方向となる回動方向の回動を行わせ、
前記過回動状態を示す信号は、前記レベル範囲外に設定された出力信号レベルを有する磁気センサの出力信号であり、
前記制御部は、前記磁気センサから前記レベル範囲外の出力信号レベルを有する出力信号が出力されたとき、前記一対のカッタの動作を停止させることを特徴とする請求項８に記載の紙葉類細断装置。
【発明の詳細な説明】
【技術分野】
【０００１】
本発明は、紙等の紙葉類の細断処理を行う紙葉類細断装置に関するものである。
【背景技術】
【０００２】
従来、例えば下記特許文献１〜３に開示されているように、紙等の紙葉類を細断するシュレッダーが広く知られている。また、この種のシュレッダーおける前記紙葉類の投入部及び投入され紙葉類に対する細断処理を行う細断部の構造に関する技術文献として、例えば下記特許文献４，５がある。
【０００３】
特許文献４には、紙葉類の投入口と該紙葉類を細断するカッタとの間に形成された案内路上に、該案内路を構成する斜面に対してそれぞれ異なる角度で傾斜する第１、第２の平面が鋭角的に交差してなる屈曲部を有する弾性体を配設し、紙葉類がカッタに向かって移動する（紙葉類を細断する）ときには、前記屈曲部が案内路に突出した状態にあり、前記屈曲部及び第１の平面により所定枚数以上の紙葉類が前記カッタ側に進行するのが制限される一方、紙葉類がカッタ側から投入口側に戻されるときには、カッタの逆転動作によりカッタ側から投入口側に向かって進行する紙葉類から前記第２の平面で押圧力を受けることにより、前記弾性体の所定部位を支点として前記屈曲部が前記案内路から弾性的に退避し、前記案内路の厚みが紙葉類細断時より大きくなるように構成された紙葉細断装置が開示されている。
【０００４】
下記特許文献５には、紙葉類の投入口と該紙葉類を細断するカッタとの間に形成された案内路上に、所定位置に設けられた旋回軸を中心として旋回自在とされ、前記案内路上に突出する第１の姿勢と前記案内路上から退避する第２の姿勢とを採り得る移動体を配設するとともに、前記移動体を前記第１の姿勢及び第２の姿勢に姿勢変化させる操作を行うための操作レバーを設置し、紙葉類がカッタに向かって移動する（紙葉類を細断する）ときには、前記移動体が案内路に突出した状態にあり、その突出部位により所定枚数以上の紙葉類が前記カッタ側に進行するのが制限される一方、紙葉類の一部が細断された状態で詰まったときには、前記操作レバーにより前記移動体を前記第２の姿勢に設定して前記移動体を前記案内路から退避させることにより、前記案内路の厚みが紙葉類細断時より大きくなるように構成された紙葉細断装置が開示されている。
【特許文献１】実開昭５７―０５１６４３号公報
【特許文献２】実公昭５４―００１９５８号公報
【特許文献３】実開昭５５−１７７８３４号公報
【特許文献４】特許第３２３６５８４号公報
【特許文献５】特許第３２１０３０６号公報
【発明の開示】
【発明が解決しようとする課題】
【０００５】
特許文献４，５のように、案内路上に弾性体や移動体を設置する構成では、案内路長が長くなり、この場合、カッタに詰まった紙葉類がサイズの小さい紙葉類である場合や大部分が細断された紙葉類である場合に、カッタに逆転動作を行わせても、それらの紙葉類の後端部が投入口に露出しなかったり、露出したとしてもその露出量が僅かであったりして、該紙葉類を除去（引き抜く）できなかったり除去し難かったりする場合が生じる。
【０００６】
本発明は、上述した問題点を解決するためになされたものであり、サイズの小さい紙葉類や大部分が細断された状態の紙葉類がカッタに詰まった場合であっても、簡単に除去することのできる紙葉類細断装置を提供することを目的とする。
【課題を解決するための手段】
【０００７】
請求項１に記載の発明は、互いに噛合され、噛合部位で紙葉類を細断する一対のカッタと、前記一対のカッタを細断方向及びその逆方向へ回転させる駆動源とを備えた紙葉類細断装置であって、前記紙葉類を前記一対のカッタの噛合部位に向けて案内する所要隙間を有する案内路と、前記案内路の入口側に連設され、前記案内路に向けて先端側の隙間が窄まる対向側壁を有する投入部と、前記投入部の先端部近傍において一方の前記対向側壁と平行な軸回りに所要の角度範囲で回動可能に設けられ、他方の前記対向側壁との隙間が、前記紙葉類の投入方向と同一方向となる回動方向の終端で第１の寸法となり、その他の範囲で前記第１の寸法より大きな第２の寸法となる外周形状を有する規制部材と、前記一対のカッタの逆方向への回転を指示する入力を行うための入力操作部と、前記入力操作部から前記入力があると、設定回動量を上限として前記駆動源に前記一対のカッタの逆方向への回転を行わせる制御部とを備えたことを特徴とするものである。
【０００８】
この発明によれば、投入部に紙葉類が投入されると、この紙葉類は前記対向側壁を介して前記案内路に進入し、該案内路により前記一対のカッタの噛合部位まで案内された後、該カッタの細断方向の回転により該紙葉類の細断処理が施される。また、前記入力操作部により前記カッタの逆方向の回転が指示されると、前記制御部は、設定回動量を上限として前記カッタに逆方向の回転を行わせる。これにより、細断中であった紙葉類は、案内路や対向側壁を逆行する。
【０００９】
一方、規制部材が、一方の前記対向側壁と平行な軸回りに所要の角度範囲で回動可能に設けられ、他方の前記対向側壁との隙間が、前記紙葉類の投入方向と同一方向となる回動方向の終端で第１の寸法となり、その他の範囲で前記第１の寸法より大きな第２の寸法となる。したがって、規制部材の姿勢を変更することで、規制部材と他方の対向側壁との隙間が変更される。そして、特に本実施形態では、対向側壁との隙間を変更可能にする部材（規制部材）を前記投入部の先端部近傍に設置するため、従来のように案内路に設置する場合に比して案内路長が短縮化される。また、設定回動量を上限として前記駆動源に前記一対のカッタの逆方向の回転を行わせるため、前記入力操作部に対する多数回又は長時間の操作による過剰な逆転動作が禁止される。
【００１０】
請求項２に記載の発明は、請求項１に記載の紙葉類細断装置において、前記設定回動量は、前記駆動源の駆動時間として設定されたものであることを特徴とするものである。
【００１１】
この発明によれば、前記設定回動量を前記駆動源の駆動時間として設定したので、前記一対のカッタの回動量そのものを検出することで該回動量が前記設定回動量に達したか否かを管理する場合に比して、前記カッタの回動量の管理が容易となる。
【００１２】
請求項３に記載の発明は、請求項１または２に記載の紙葉類細断装置において、前記規制部材は、前記外周の一部に回動動作を行わせる操作部を有することを特徴とするものである。
【００１３】
この発明によれば、前記規制部材が前記外周の一部に回動動作を行わせる操作部を有するので、規制部材の姿勢を任意（所望の姿勢）に設定することが可能となる。
【００１４】
請求項４に記載の発明は、請求項１または２に記載の紙葉類細断装置において、前記規制部材を、前記紙葉類の投入方向と同一方向となる回動方向の終端に向けて付勢する付勢部材が設けられていることを特徴とするものである。
【００１５】
この発明によれば、前記規制部材を、前記紙葉類の投入方向と同一方向となる回動方向
の終端に向けて付勢する付勢部材を設けたので、前記規制部材は、前記付勢部材により、前記紙葉類の投入方向と同一方向となる回動方向の終端に向けて付勢される。これにより、通常、他方の前記対向側壁との隙間が第１の寸法に維持される。また、規制部材に対して前記紙葉類の投入方向と逆方向となる回動方向への回動操作が行われた場合でも、その回動操作終了後、前記規制部材は自動的に前記終端に戻される。
【００１６】
請求項５に記載の発明は、請求項１ないし４のいずれかに記載の紙葉類細断装置において、前記他方の対向側壁と前記案内路とは、ディスク状の記録媒体の通過を規制する屈曲形状をなして連設されていることを特徴とするものである。
【００１７】
この発明によれば、前記他方の対向側壁と前記案内路とは屈曲形状をなして連設されているので、該屈曲形状によってディスク状の記録媒体の通過が規制される。
【００１８】
請求項６に記載の発明は、請求項１ないし５のいずれかに記載の紙葉類細断装置において、前記制御部は、前記入力操作部に対する入力回数をカウントするカウント部と、前記カウント部によるカウント値が予め決められたタイミングでリセットされるまでの前記入力回数について予め設定された上限値と、入力回数１回あたりの前記一対のカッタによる逆方向の回転時間とを記憶する記憶部とを備え、前記制御部は、前記上限値までの範囲内で前記入力操作部による指示を受け付け、１回の入力回数につき前記回転時間だけ前記一対のカッタを逆方向に回転させることを特徴とするものである。
【００１９】
この発明によれば、前記制御部は、前記記憶部に記憶された上限値までの範囲内で前記入力操作部による指示を受け付け、１回の入力回数につき前記記憶部に記憶された前記回転時間だけ前記一対のカッタを逆方向に回転させるようにしたので、前記入力操作部に対する多数回又は長時間の操作による一対のカッタの過剰な逆方向の回転が禁止される。
【００２０】
請求項７に記載の発明は、請求項１ないし６のいずれかに記載の紙葉類細断装置において、前記他方の対向側壁における前記規制部材より微小寸法だけ開口側の位置に、圧力を検知する圧力検知部が前記他方の対向側壁と面一状に設置されており、前記制御部は、前記圧力検知部から圧力を受けた旨の信号を受信すると、前記一対のカッタの動作を停止させることを特徴とするものである。
【００２１】
この発明によれば、前記他方の対向側壁における前記規制部材より微小寸法だけ開口側の位置に、圧力を検知する圧力検知部を前記他方の対向側壁と面一状に設置したので、無理に指を前記案内路に進入させようとした場合に、該指から受ける圧力によって指の進入が検知され、前記一対のカッタの動作が停止される。
【００２２】
請求項８に記載の発明は、請求項１ないし６のいずれかに記載の紙葉類細断装置において、前記規制部材の前記終端を超える前記規制部材の過回動を検知媒体を用いて検知する過回動検知部を備え、前記制御部は、前記過回動検知部から過回動状態を示す信号を受信すると、前記一対のカッタの動作を停止させることを特徴とするものである。
【００２３】
この発明によれば、前記規制部材の前記終端を超える前記規制部材の過回動を検知媒体を用いて検知する過回動検知部を備えたので、指を前記案内路に無理に進入させようとした場合に、該指からの押圧力によって発生する前記規制部材の過回動が検知され、前記一対のカッタの動作が停止される。
【００２４】
請求項９に記載の発明は、請求項８に記載の紙葉類細断装置において、前記過回動検知部は、前記規制部材の回動により位置関係が相対的に変化する磁気センサと磁石とを備えて成り、前記制御部は、前記磁気センサの出力信号レベルが、前記第１の寸法を含む予め定められた寸法範囲に対応するレベル範囲内にあるときには、前記一対のカッタに、前記紙葉類の投入方向と同一方向となる回動方向の回動を行わせ、前記過回動状態を示す信号は、前記レベル範囲外に設定された出力信号レベルを有する磁気センサの出力信号であり、前記制御部は、前記磁気センサから前記レベル範囲外の出力信号レベルを有する出力信号が出力されたとき、前記一対のカッタの動作を停止させることを特徴とするものである。
【００２５】
この発明によれば、前記磁気センサの出力信号レベルが、前記第１の寸法を含む予め定められた寸法範囲に対応するレベル範囲内にあるときには、前記紙葉類の投入方向と同一方向となる回動方向の回動が前記一対のカッタにより行われ、前記範囲外の出力信号レベルを有する出力信号が出力されたとき、前記一対のカッタの動作が停止される。
【発明の効果】
【００２６】
請求項１に発明によれば、対向側壁との隙間を変更可能にする部材（規制部材）を前記投入部の先端部近傍に設置することにより、従来のように案内路に設置する場合に比して案内路長を短縮したので、前記一対のカッタに詰まった紙葉類がサイズの小さい紙葉類である場合や大部分が細断された紙葉類である場合でも、前記一対のカッタに逆方向の回転を行わせたときに、それらの紙葉類の後端部が投入部側に露出する際の露出量を確保することができる。その結果、紙葉類を確実に除去することができる。
【００２７】
請求項２に発明によれば、前記一対のカッタの回動量そのものを検出することで該回動量が前記設定回動量に達したか否かを管理する場合に比して、前記一対のカッタの回動量を容易に管理することができる。
【００２８】
請求項３に発明によれば、前記規制部材の外周の一部に回動動作を行わせる操作部を設けたので、規制部材の姿勢を任意に設定することが可能となる。
【００２９】
請求項４に発明によれば、通常、他方の前記対向側壁との隙間が第１の寸法に維持されるため、細断能力以上の紙葉類の案内路への進入を規制することができるとともに、規制部材に対して前記紙葉類の投入方向と逆方向となる回動方向への回動操作が行われた場合でも、その回動操作終了後、前記規制部材は自動的に前記終端に戻されるため、前記規制部材を前記終端に手動で戻す必要が無くなり、規制部材の良好な操作性を確保することができる。
【００３０】
請求項５に記載の発明によれば、前記他方の対向側壁と前記案内路とは屈曲形状をなして連設したので、該屈曲形状によってディスク状の記録媒体の通過を規制することができる。
【００３１】
請求項６に発明によれば、前記入力操作部に対する多数回又は長時間の操作による一対のカッタの過剰な逆方向の回転を禁止するようにしたので、使用者の髪の毛やネクタイが誤ってカッタに噛み込まれた場合において、前記入力操作部に対する多数回又は長時間の操作によって、その噛み込みが一旦解かれたにも拘わらず逆方向に回転するカッタによって再び噛み込まれるという事態が発生するのを防止することができる。
【００３２】
請求項７に発明によれば、無理に指を前記案内路に進入させようとした場合に、該指から受ける圧力によって指の進入を検知することができるとともに、指の進入を検知したときには前記一対のカッタの動作を停止させるようにしたので、紙葉類細断装置のより高い安全性を確保することができる。
【００３３】
請求項８，９に記載の発明によれば、指を前記案内路に無理に進入させようとした場合に、該指からの押圧力によって生じる前記規制部材の過回動を検知することができるとともに、前記規制部材の過回動の検知により指の進入を検知したときには前記一対のカッタの動作を停止させるようにしたので、紙葉類細断装置のより高い安全性を確保することができる。
【発明を実施するための最良の形態】
【００３４】
以下、本発明に係る紙葉類細断装置の実施形態を図面に基づいて説明する。図１は、紙葉類細断装置の第１の実施形態の構成を示す外観斜視図である。以下の説明において、図１の矢印Ａに示す方向を前後方向、矢印Ｂに示す方向を左右方向というものとする。
【００３５】
紙葉類細断装置１は、紙等のシート状の紙葉類が細断処理可能な装置であり、図１に示すように、前面が開閉扉２として構成された略直方体形状を有する筺体である。紙葉類細断装置１は、上面に設けられた投入案内部３と、該投入案内部３の下方に配置された細断処理部４と、該細断処理部４の下方に配置された屑箱収納部５とを有する。
【００３６】
投入案内部３は、紙葉類細断装置１の上面のうち手前側の適所に形成されており、細断対象となり得る紙葉類のうち最大の幅（サイズ）を有する紙葉類のその幅に応じた長さを有する。また、紙葉類細断装置１の上面には、前記投入案内部３に隣接して、細断処理の開始を指示する入力を行うための細断開始ボタン６と、紙葉類が細断処理部４の後述する一対のカッタ（第１、第２カッタ２１，２２；図２参照）に詰まった場合や、使用者の髪の毛やネクタイが誤って細断処理部４の後述するカッタに噛み込まれた場合に、一旦装置内部に引き込んだ紙葉類（細断処理部４で一部を細断した状態の紙葉類）や髪の毛等を再度外部に排出させるべく、前記カッタを逆転させる指示を入力するための逆転ボタン７と、細断処理の停止を指示する入力を行うための停止ボタン８とが備えられており、細断開始ボタン６、逆転ボタン７及び停止ボタン８は、使用者による押圧操作を受けて、操作信号を後述する制御部２６（図４参照）に出力する。
【００３７】
屑箱収納部５は、紙葉類の細断屑を収納する屑箱９を収納するものであり、左右のうち一方の端部が紙葉類細断装置１の本体１ａに回動自在に支持された開閉扉２を開放すると、屑箱９の出し入れが可能となるように構成されている。なお、図１では、屑箱９を紙葉類細断装置１の本体１ａから引き出した状態を示している。
【００３８】
紙葉類細断装置１は、投入案内部３に紙葉類が投入されると、細断処理部４の噛合部位まで滑落してきた紙葉類を細断処理部４により噛み込んで細断処理し、その細断処理により生じた細断屑を屑箱収納部５に排出して屑箱９に収納する。なお、図１では、細断処理部４のうち紙葉類を処理する後述のカッタを点線で概略的に示している。
【００３９】
図２は、図１におけるＣ−Ｃ線で切断した投入案内部３及び細断処理部４の断面図である。図２に示すように、投入案内部３は、第１〜第３側壁１０〜１２を備えて構成される投入部１３と、第４、第５側壁１４，１５を備えて構成される案内路１６とを有する。
【００４０】
第１側壁１０は、紙葉類細断装置１の上面から略直下に拡がる平面を有し、第２側壁１１は、第１側壁１０とその下端で交差し、前方斜め下側に比較的緩やかに傾斜する平面を有する。第１、第２側壁１０，１１は、前記一方の対向側壁の一例である。
【００４１】
第３側壁１２は、紙葉類細断装置１の前方側から奥側に向かって下方に比較的急峻な傾斜面を有し、この第３側壁１２は、投入案内部３に紙葉類が投入された場合に、該紙葉類が案内路１６に向かって滑落する斜面である。第３側壁１２は、前記他方の対向側壁の一例である。
【００４２】
第４側壁１４は、前記第２側壁１１とその下端部で交差し、細断処理部４に向かって拡がる平面を有する。第５側壁１５は、第３側壁１２とその下端で交差し、前記第４側壁１４と間隙を介して対向しつつ細断処理部４に向かって拡がる平面を有する。
【００４３】
第３側壁１２と第５側壁１５とは、その交差位置Ｐ１が前記２側壁１１と第４側壁１４との交差位置Ｐ２より所定量だけ斜め下側に位置するように構成されており、断面で見たとき、第３側壁１２の延長線Ｌは第４側壁１４の所定位置と交差する。また、第４側壁１４と第５側壁１５とは、その離間距離（案内路１６の幅）が上方から下方に向かって大きくなるように構成されている。なお、第３側壁１２の裏側には補強部材１７が設置されており、第３側壁１２にはこの補強部材１７による補強処理が施されている。
【００４４】
第１側壁１０と第２側壁１１との交差位置Ｐ３の近傍には、紙葉類細断装置１の左右方向（図２の紙面方向）に延びる支持軸１８が設置されており、該支持軸１８に前記規制部材の一例であるシャッタ１９が回動自在に支持されている。
【００４５】
シャッタ１９は、支持軸１８に外嵌する嵌合部１９ａと、該嵌合部１９ａから平板状に延設された平板部１９ｂと、該平板部１９ｂの端部から該平板部１９ｂの法線方向に突出する把持部１９ｃとを有して構成されている。シャッタ１９は、通常、平板部１９ｂの略全体が第２側壁１１の壁面に面接触し、時計回りの回動が第２側壁１１により規制される姿勢とされているとともに、平板部１９ｂの先端及び把持部１９ｃは、第３側壁１２に向かって第４側壁１４の壁面から所定量突出する。以下、このシャッタ１９の姿勢を第１の姿勢という。
【００４６】
シャッタ１９が第１の姿勢にあるとき、シャッタ１９の先端部とこれに対向する第３側壁１２との距離Ｄは、紙葉類細断装置１の細断最大能力に相当する枚数（以下、細断限度枚数という）の紙葉類の束幅に設定されている。なお、このときの距離Ｄは、前記第１の寸法に相当する。
【００４７】
また、シャッタ１９は、図３に示すように、前記第１の姿勢から反時計回り（矢印Ｘの方向）に、把持部１９ｃの先端が第１側壁１０に当接する（以下、このときのシャッタ１９の姿勢を第２の姿勢という）まで回動可能に構成されている。このとき、シャッタ１９
は、第４側壁１４の壁面から第３側壁１２に向かう方向に非突出の状態となる（このときのシャッタ１９と第３側壁１２との距離は前記第２の寸法の一例）。なお、シャッタ１９の第１の姿勢から第２の姿勢への姿勢変化は、主に、使用者により把持部１９ｃが把持された状態で該シャッタ１９が反時計回りに回動されることにより行われる。また、本実施形態では、シャッタ１９は、第２の姿勢にされると、該シャッタ１９が持つ重量バランスによりその姿勢に維持される。
【００４８】
第５側壁１５の裏側適所には、案内路１６への紙葉類の進入を検知する投入センサ２０が設置されている。投入センサ２０は、例えば光を検知媒体とする投受光器を備えてなり、第５側壁１５の適所に形成された図略の穴を介して検出光及び反射光の投受光動作を行う。投入センサ２０は、反射光の有無により案内路１６への紙葉類の進入の有無を検知し、検知信号を後述する制御部２６に出力する。制御部２６は、この検知信号に基づいて細断処理部４による細断処理（後述する第１、第２カッタ２１，２２の回転動作）を実行させる。
【００４９】
紙葉類が投入案内部３に投入されると、該紙葉類が第３側壁１２の傾斜面を滑落する。このとき、投入案内部３に投入された紙葉類が細断限度枚数を超える枚数の紙葉類の束であった場合には、前記細断限度枚数を超える分の紙葉類の進行（滑落）がシャッタ１９により規制され、前記細断限度枚数分の紙葉類は案内路１６に向かって進行する。
【００５０】
第３側壁１２との間隙を通過した前記細断限度枚数分の紙葉類はシャッタ３０に対して摺接しながら進行するため、該紙葉類には、シャッタ１９から該紙葉類の進行方向と逆向きの摩擦力が作用し、一方、シャッタ１９には、前記細断限度枚数分の紙葉類から該紙葉類の進行方向の力（前記摩擦力に対する反作用の力）が作用する。この力により、シャッタ１９は、第２側壁１１の壁面に押し付けられるため、該力が作用しない場合に比して強固に第１の姿勢に固定され、前記細断限度枚数を超える紙葉類の進行（滑落）の規制を確実に行うことができる。
【００５１】
そして、シャッタ１９と第３側壁１２との間隙を通過した紙葉類の先端が第４側壁１４の壁面に当接すると、該紙葉類は下方に湾曲して案内路１６に進入し、投入センサ２０により案内路１６への進入が検知される。そして、紙葉類は、案内路１６により正方向に回転動作中の第１、第２カッタ２１，２２の噛合部位に案内され、該第１、第２カッタ２１，２２により細断処理がなされる。
【００５２】
一方、フロッピーディスク（ＦＤ：登録商標）、コンパクトディスク（ＣＤ）、ＤＶＤ（Digital Versateile Disc）、光磁気ディスク（ＭＯ）、磁気ディスク（ＺＩＰ）、ＤＤＳ（Digital Date Storage）等のディスク体や例えば樹脂製のカード類（前記板状体に相当、以下、これらを総称してメディアという）が投入案内部３に誤って投入された場合には、該メディアの先端が第４側壁１４に当接する。ここで、該メディアに対して第３側壁１２と第５側壁１５との交差位置Ｐ１を中心として図３における反時計回りに回動する力が作用したとしても、シャッタ１９の先端でその回動が物理的に規制され、該メディアの先端を第４側壁１４の或る部位に当接した状態が維持される。これにより、メディアが細断処理部４に侵入するのが防止される。
【００５３】
また、図３に示すように、使用者が、手動でシャッタ１９を第１の姿勢から第２の姿勢に姿勢変化させることで、シャッタ１９は第４側壁１４の壁面から第３側壁１２に向かう方向に非突出の状態となるため、案内路１６と投入部１３との境界部分における開口が広くなる。したがって、細断処理部４により途中まで細断処理がなされた紙葉類を前記逆転ボタン７の押圧操作によって外部に排出させる場合に、シャッタ１９が第１の姿勢にあるときに比して容易に紙葉類が投入部１３に排出されることとなり、また、使用者はその排
出された紙葉類を容易に引き出すことができる。
【００５４】
また、本実施形態では、シャッタ１９が使用者により第２の姿勢への回動操作を受けなくても、排出方向に移動する紙葉類からの力を受けることでシャッタ１９が反時計回りに回動し（押し上げられ）、紙葉類の投入部１３への排出がシャッタ１９によって阻害されることなく紙葉類が投入部１３に適切に排出されるように構成されている。
【００５５】
細断処理部４は、第１、第２カッタ２１，２２を有し、第１、第２カッタ２１，２２は、それぞれ所定の径を有する軸体に対して軸方向に切削加工等を行うことで該軸方向に一定の間隔で大径部を形成し、さらに各大径部に対して周方向に一定間隔で谷部２３ａ，２４ａを穿設することにより複数枚の細断刃２３，２４を形成してなる。第１、第２カッタ２１，２２は、大径部が相手側のカッタの大径部間に嵌り込む（噛み合う）ような位置関係を有して配置されている。
【００５６】
また、第１、第２カッタ２１，２２の細断刃２３，２４は、周方向において互いに半ピッチだけ位相がずらされており、これにより、山部と谷部とが噛合部位Ｙで軸方向に交互に配列されることで、紙葉類を効果的に細断するものである。
【００５７】
なお、図示していないが、第１、第２カッタ２１，２２の一方端部では、それぞれ同一歯数のギヤが互いに噛合した状態で取り付けられており、第１、第２カッタ２１，２２は、モータ２５（図４参照）を駆動源として前記一対のギヤを介して同一速度で、且つ互いに逆方向に回転する。また、第１、第２カッタ２１，２２は、相手側のカッタにおける、隣接する細断刃２３間の間隙又は隣接する細断刃２４間の間隙に嵌入する複数の突起を有する図略のセパレータを備え、セパレータは、細断刃２３及び細断刃２４の各間隙に挟まった細断屑を、前記第１、第２カッタ２１，２２の噛合部位Ｙから外れた位置で除去する。
【００５８】
図４は、紙葉類細断装置１の電気的な構成の一例を示すブロック図である。図４に示すように、紙葉類細断装置１は、図１〜図３にそれぞれ示したものに相当する細断開始ボタン６、逆転ボタン７、停止ボタン８、投入センサ２０及び第１、第２カッタ２１，２２を備えると共に、第１、第２カッタ２１，２２を回転駆動する駆動源としてのモータ２５と、例えば制御プログラムを記憶するＲＯＭや一時的にデータを記憶するＲＡＭからなる記憶部２８が内蔵されたマイクロコンピュータからなる制御部２６とを有する。
【００５９】
制御部２６は、細断開始ボタン６、逆転ボタン７及び停止ボタン８からの操作信号や投入センサ２０からの検知信号を受信し、これらの操作信号や検知信号に基づいてモータ２５の駆動制御を行うものである。
【００６０】
すなわち、制御部２６は、細断開始ボタン６からの操作信号を受信した上で投入センサ２０からの検知信号を受信する、すなわち、使用者により細断指示がなされた後、該使用者により投入された紙葉類が案内路１６の所定位置を通過すると、モータ２５に正方向（図２の矢印で示す方向）の駆動を開始させる。
【００６１】
また、制御部２６は、その後、投入センサ２０から検知信号が受信されなくなると、該検知信号が受信されなくなった時点から所定時間経過後（例えば３秒後）に、モータ２５の動作を停止させる。また、制御部２６は、停止ボタン８からの操作信号を受信した場合も、モータ２５の動作を停止させる。
【００６２】
また、制御部２６は、第１、第２カッタ２１，２２で噛み込まれた紙葉類が詰まって第１、第２カッタ２１，２２の回転が停止し、モータ２５が過負荷状態となったこと（モー
タ２５に過電流が流れたこと）を検知すると、その噛み込みを解くべく、モータ２５による逆方向（図３の矢印で示す方向）の駆動を行わせる。なお、このときのモータ２５の動作時間又は回転数は予め定められており、動作時間の場合には、例えば１〜２秒間、回転数の場合には、１〜２回転である（オートリバース機能）。
【００６３】
また、逆転ボタン７に対して押圧された場合の制御部２６の処理は次の通りである。制御部２６は、逆転ボタン７に対する入力回数をカウントするカウント部２７を有し、カウント部２７は、投入センサ２０から検知信号を受信してから該検知信号を受信しなくなるまでの期間の逆転ボタン７に対する入力回数をカウントし、検知信号を受信しなくなった時点から前記所定時間経過後のタイミングでカウント値のリセットを行う。
【００６４】
記憶部２８には、前記カウント部２７によるカウント値がリセットされるまでの前記入力回数について予め設定された上限値と、入力回数１回あたりのモータ２５の逆転動作時間とが記憶されている。例えば、記憶部２８は、リセットが行われるまでに受け付ける逆転ボタン７の操作回数を１回、１回の操作回数当たりにつき３秒間だけモータ２５を逆方向に駆動させるという内容を記憶する。
【００６５】
このように、逆転ボタン７の操作回数やモータ２５の逆方向の駆動時間に制限を設けているのは、使用者の髪の毛やネクタイが、正回転する第１、第２カッタ２１，２２に誤って噛み込まれた場合において、逆転ボタン７に対する多数回又は長時間の操作（過剰な操作）によって、その噛み込みが瞬間的に（一時的に）解かれたにも拘わらず、逆方向の回転を開始した第１、第２カッタ２１，２２に再び噛み込まれるのを防止または抑制するためである。リセットが行われるまでに受け付ける逆転ボタン７の操作回数や、１回の操作回数当たりのモータ２５の逆方向の駆動時間は、この再噛み込みを防止できるように、紙葉類細断装置１の各部のサイズ等に基づいて適宜設定される。
【００６６】
図５は、制御部２６による処理を示すフローチャートである。
【００６７】
図５に示すように、制御部２６は、細断開始ボタン６から該ボタン６が操作された旨の操作信号を受信すると（ステップ♯１でＹＥＳ）、投入センサ２０から紙葉類を検知した旨の検知信号の受信を待機し（ステップ♯２でＮＯ）、投入センサ２０からの検知信号を受信すると（ステップ♯２でＹＥＳ）、モータ２５に正方向の駆動を開始させる（ステップ♯３）。
【００６８】
次に、制御部２６は、モータ２５への過電流が発生したか否かを判断し（ステップ♯４）、過電流が発生したと判断すると（ステップ♯４でＹＥＳ）、モータ２５に逆方向の駆動を行わせる（ステップ♯５）。なお、モータ２５に逆方向の駆動を開始させるに際し、モータ２５として単相交流モータを利用している場合には、モータ５２の保護のため、一旦モータ２５の動作を停止させた上で逆方向の駆動を開始させる。
【００６９】
そして、制御部２６は、モータ２５の逆方向の駆動が所定時間経過した場合には（ステップ♯６でＹＥＳ）、モータ２５を停止する（ステップ♯７）一方、モータ２５の逆方向の駆動が所定時間経過していない場合には（ステップ♯６でＮＯ）、ステップ♯４の処理に戻る。
【００７０】
ステップ♯４において、制御部２６は、過電流が発生していないと判断すると（ステップ４でＮＯ）、逆転ボタン７から該ボタン７が操作された旨の操作信号を受信したか否かを判断する（ステップ♯８）。制御部２６は、逆転ボタン７から前記操作信号を受信したものと判断すると（ステップ♯８でＹＥＳ）、モータ２５が現在正方向の駆動を行っているか否かを判断し（ステップ♯９）、正方向の駆動を行っている場合には（ステップ♯９
でＹＥＳ）、モータ２５等の保護のため逆転ボタン７の操作を受け付けず、ステップ♯１３の処理に進む一方、正方向の駆動を行っていない場合、すなわち停止ボタン８によりモータ２５の駆動が停止された場合や逆方向の駆動を行っている場合には（ステップ♯９でＮＯ）、前記逆転ボタン７の操作回数を調べ、該操作回数が所定回数（記憶部２８に記憶された回数：例えば１回）を超えているか否かを判断し（ステップ♯１０）、前記操作回数が前記所定回数を超えていない場合には（ステップ♯１０でＮＯ）、モータ２５に逆方向の駆動を行わせ（ステップ♯１１）、モータ２５の逆方向の駆動が所定時間経過したか否かを判断する（ステップ♯１２）。
【００７１】
制御部２６は、モータ２５の逆方向の駆動が所定時間経過したと判断すると（ステップ♯１２）、モータ５の駆動を停止する（ステップ♯１４）一方、モータ２５の逆方向の駆動が所定時間経過していないと判断すると（ステップ♯１２でＮＯ）、ステップ♯８の処理に戻る。
【００７２】
ステップ♯８において、制御部２６は、逆転ボタン７から前記操作信号を受信していない場合には（ステップ♯８でＮＯ）、投入センサ２０から紙葉類を検知した旨の検知信号を受信したか否かを判断する（ステップ♯１３）。その結果、制御部２６は、前記検知信号を受信したものと判断すると（ステップ♯１３でＹＥＳ）、ステップ♯３の処理に戻る一方、前記検知信号を受信しなくなったと判断すると（ステップ♯１３でＮＯ）、モータ２５の駆動を停止する（ステップ♯１４）。
【００７３】
以上のように、本実施形態の紙葉類細断装置１は、投入部１３の適所にシャッタ１９を設置したので、従来のように案内路１６上に本実施形態のシャッタ１９に相当する部材を設置する場合に比して、案内路１６の長さを短尺化することができる。その結果、第１、第２カッタ２１，２２の噛合部位Ｙに詰まった紙葉類のサイズが小さい場合や、紙葉類の大部分を細断した状態であっても、それらの紙葉類の後端部を、第１、第２カッタ２１，２２の逆転動作により投入部１３側に確実に露出させることができ、前述のような紙葉類であっても確実に除去（引き抜く）ことができる。
【００７４】
また、シャッタ１９を一見して視認することのできる外部に露出した位置に設置したので、該シャッタ１９（の第１の姿勢）により紙葉類の経路の幅が小さい状態であるか、（第２の姿勢により）前記経路の幅が大きい状態であるかを使用者に一目で視認させることができるとともに、シャッタ１９に対して回動操作を行うための間接的な部材や機構を要することなく、シャッタ１９の回動操作を行うことができる。
【００７５】
また、投入案内部３に投入されたメディアに対して第３側壁１２と第５側壁１５との交差位置Ｐ１を中心として図３における反時計回りに回動する力が作用したとしても、シャッタ１９の先端でその回動が物理的に規制され、該メディアの先端を第４側壁１４の或る部位に当接した状態が維持されるように構成したので、メディアが細断処理部４に導かれるのを防止することができる。
【００７６】
また、シャッタ１９を手動で回動操作を行えるようにしたので、逆転ボタン７の操作によって第１、第２カッタ２１，２２に噛み込まれた紙葉類を投入部１３側に排出させる際にシャッタ１９を第２の姿勢にすることで、細断途中の紙葉類が細断処理部４から投入部１３側に排出されやすくなり、また、細断処理部４から戻された紙葉類を使用者が取り出しやすくなる。
【００７７】
また、逆転ボタン７に対する入力回数をカウントするカウント部２７のリセットが行われるまでに受け付ける逆転ボタン７の操作回数を所定回数（例えば１回）に制限するとともに、１回の操作回数当たりのモータ２５の逆方向の駆動時間を所定時間（例えば３秒間
）に制限するようにしたので、使用者の髪の毛やネクタイが正回転する第１、第２カッタ２１，２２に噛み込まれた場合において、逆転ボタン７に対する多数回又は長時間の操作によって、第１、第２カッタ２１，２２に逆転方向に噛み込まれるのを防止または抑制することができる。
【００７８】
なお、本件は、前記実施形態の内容に加えて、またはそれに代えて次の実施形態も採用可能である。
【００７９】
（１）規制部材は、前記第１の実施形態のシャッタ１９に限られず、例えば図６〜図９に示すようなものも採用可能である。なお、図６〜図８に示す実施形態は、規制部材の形状が主に異なるのみであり、また、図９に示す実施形態には、規制部材を含む一部の構成が異なるのみであり、それ以外の構成については略同様であるから、同様の構成については同一の番号を付し、相違点である規制部材の構成についてのみ説明することとする。
【００８０】
図６に示す規制部材は、前記第１の実施形態と同様の支持軸１８に外嵌する嵌合部３０ａと、該嵌合部３０ａから延設された三角形状を有する三角部３０ｂと、当該シャッタ３０の上面側適所において突出形成された把持部３０ｃとを有するシャッタ３０である。
【００８１】
シャッタ３０は、通常、嵌合部３０ａ及び三角部３０ｂにより下面側に形成される一平面が第２側壁１１に面接触し、シャッタ３０の時計回りの回動が前記第２側壁１１により規制される姿勢とされている。このとき、シャッタ３０の三角部３０ｂは、第３側壁１２に向かって第４側壁１４の壁面から突出する。以下、このシャッタ３０の姿勢を第１の姿勢という。
【００８２】
シャッタ３０が第１の姿勢にあるとき、三角部３０ｂとこれに対向する第３側壁１２との距離Ｄは前記細断限度枚数に相当する束幅に設定されている。
【００８３】
また、シャッタ３０は、図６の点線で示すように、前記第１の姿勢から反時計回りに、把持部３０ｃの先端が第１側壁１０に当接する（以下、このときのシャッタ３０の姿勢を第２の姿勢という）まで回動可能に構成されている。このとき、シャッタ３０は、第４側壁１４の壁面から第３側壁１２に向かう方向に非突出の状態となる。なお、シャッタ３０の第１の姿勢から第２の姿勢への姿勢変化は、主に、使用者により把持部３０ｃが把持された状態で該シャッタ３０が反時計回りに回動されることにより行われる。また、本実施形態では、シャッタ３０は、第２の姿勢にされると、該シャッタ３０が持つ重量バランスによりその姿勢に維持される。
【００８４】
紙葉類が投入案内部３に投入されると、該紙葉類が第３側壁１２の傾斜面を滑落する。このとき、投入案内部３に投入された紙葉類が細断限度枚数を超える枚数の紙葉類の束であった場合には、前記細断限度枚数を超える分の紙葉類の進行（滑落）がシャッタ３０により規制され、前記細断限度枚数分の紙葉類は案内路１６に向かって進行する。
【００８５】
シャッタ３０と第３側壁１２との間隙を通過した前記細断限度枚数分の紙葉類は、シャッタ３０に対し三角部３０ｂの頂点Ｈ１に摺接しながら進行するため、該紙葉類には、シャッタ３０から該紙葉類の進行方向と逆向きの摩擦力が作用し、一方、シャッタ３０には、前記細断限度枚数分の紙葉類から該紙葉類の進行方向の力（前記摩擦力に対する反作用の力）が作用する。これにより、シャッタ３０は、この力により第２側壁１１の壁面に押し付けられるため、該力が作用しない場合に比して強固に第１の姿勢に固定され、前記細断限度枚数を超える紙葉類の進行（滑落）の規制を確実に行うことができる。
【００８６】
そして、シャッタ３０と第３側壁１２との間隙を通過した紙葉類の先端が第４側壁１４
の壁面に当接すると、該紙葉類は下方に湾曲して案内路１６に進入し、投入センサ２０により案内路１６への進入が検知される。そして、紙葉類は、案内路１６により正方向に回転動作中の第１、第２カッタ２１，２２の噛合部位に案内され、該第１、第２カッタ２１，２２により細断処理がなされる。
【００８７】
一方、前記メディアが投入案内部３に誤って投入された場合、該メディアの先端が第３側壁１２に当接する。ここで、該メディアに対して第３側壁１２と第５側壁１５との交差位置Ｐ１を中心として図６における反時計回りに回動する力が作用しても、シャッタ３０における頂点Ｈ１でその回動が物理的に規制され、該メディアの先端が第４側壁１４の或る部位に当接した状態が維持される。これにより、メディアが細断処理部４に侵入するのが防止される。
【００８８】
また、図６に示すように、使用者が、手動でシャッタ３０を第１の姿勢から第２の姿勢に姿勢変化させることで、案内路１６と投入部１３との境界部分における開口が広くなる。したがって、細断処理部４により途中まで細断処理がなされた紙葉類を前記逆転ボタン７の押圧操作によって外部に排出させる場合に、シャッタ３０が第１の姿勢にあるときに比して容易に紙葉類が排出されることとなり、また、使用者はその排出された紙葉類を容易に引き出すことができる。なお、前記実施形態と同様に、シャッタ３０が使用者により第２の姿勢への回動操作を受けなくても、排出方向に移動する紙葉類からの力を受けることでシャッタ３０が反時計回りに回動し（押し上げられ）、紙葉類の投入部１３への排出がシャッタ３０によって阻害されることなく紙葉類が投入部１３に適切に排出されるように構成されている。
【００８９】
図７に示す規制部材は、対角関係にある略同一角度を有した第１、第２角部３１ａ，３１ｂと、対角関係にある鋭角部３１ｃ及び鈍角部３１ｄとを備えた略菱形状の断面を有するシャッタ３１であり、前記第１の実施形態と略同様の支持軸１８に第１角部３１ａの近傍で回動自在に支持されている。
【００９０】
シャッタ３１は、通常、鈍角部３１ｄを構成する一方の平面が第２側壁１１上に接触し、シャッタ３１の時計回りの回動が前記第２側壁１１により規制される姿勢とされている。このとき、第２角部３１ｂは、第３側壁１２に向かって第４側壁１４の壁面から突出する。以下、このシャッタ３１の姿勢を第１の姿勢という。
【００９１】
シャッタ３１が第１の姿勢にあるとき、鈍角部３１ｄとこれに対向する第３側壁１２との距離Ｄは前記細断限度枚数に相当する束幅に設定されている。
【００９２】
また、シャッタ３１は、図７の点線で示すように、前記第１の姿勢から反時計回りに、鋭角部３１ｃが第１側壁１０に当接する（以下、このときのシャッタ３０の姿勢を第２の姿勢という）まで回動可能に構成されている。このとき、第４側壁１４の壁面から第３側壁１２に向かってシャッタ３１が突出する突出量は、第１の姿勢の時に比して大幅に少なくなる（このときの突出量は、前記第２の寸法の一例）。換言すると、シャッタ３１が第２の姿勢にあるとき、第３側壁１２に最近接する第２角部３１ｂと該第３側壁１２との離間距離Ｄ’は、前記距離Ｄより大幅に大きくなる。なお、シャッタ３１の第１の姿勢から第２の姿勢への姿勢変化は、主に、使用者により鋭角部３１ｃが把持されたり、該鋭角部３１ｃを構成する２つの平面のうち何れか一方に対して指で押圧されたりして該シャッタ３１が反時計回りに回動されることにより行われる。また、シャッタ３１は、第２の姿勢にされると、該シャッタ３１が持つ重量バランスによりその姿勢に維持される。
【００９３】
紙葉類が投入案内部３に投入されると、該紙葉類が第３側壁１２の傾斜面を滑落する。このとき、投入案内部３に投入された紙葉類が細断限度枚数を超える枚数の紙葉類の束で
あった場合には、前記細断限度枚数を超える分の紙葉類の進行（滑落）がシャッタ３１により規制され、前記細断限度枚数分の紙葉類は案内路１６に向かって進行する。
【００９４】
シャッタ３１と第３側壁１２との間隙を通過した前記細断限度枚数分の紙葉類は、シャッタ３１に対し第２角部３１ｂの頂点Ｈ２に摺接しながら進行するため、該紙葉類には、シャッタ３１から該紙葉類の進行方向と逆向きの摩擦力が作用し、一方、シャッタ３１には、前記細断限度枚数分の紙葉類から該紙葉類の進行方向の力（前記摩擦力に対する反作用の力）が作用する。これにより、シャッタ３１は、この力により第２側壁１１の壁面に押し付けられるため、該力が作用しない場合に比して強固に第１の姿勢に固定され、前記細断限度枚数を超える紙葉類の進行（滑落）の規制を確実に行うことができる。
【００９５】
そして、シャッタ３１と第３側壁１２との間隙を通過した紙葉類の先端が第４側壁１４の壁面に当接すると、該紙葉類は下方に湾曲して案内路１６に進入し、投入センサ２０により案内路１６への進入が検知される。そして、紙葉類は、案内路１６により正方向に回転動作中の第１、第２カッタ２１，２２の噛合部位に案内され、該第１、第２カッタ２１，２２により細断処理がなされる。
【００９６】
一方、前記メディアが投入案内部３に誤って投入された場合、該メディアの先端が第４側壁１４に当接する。ここで、該メディアに対して第３側壁１２と第５側壁１５との交差位置Ｐ１を中心として図７における反時計回りに回動する力が作用しても、シャッタ３１における頂点Ｈ２でその回動が物理的に規制され、該メディアの先端が第３側壁１２の或る部位に当接した状態が維持される。これにより、メディアが細断処理部４に侵入するのが防止される。
【００９７】
また、図７に示すように、使用者が、手動でシャッタ３１を第１の姿勢から第２の姿勢に姿勢変化させることで、案内路１６と投入部１３との境界部分における開口が広くなる（Ｄ’＞Ｄ）。したがって、細断処理部４により途中まで細断処理がなされた紙葉類を前記逆転ボタン７の押圧操作によって外部に排出させる場合に、シャッタ３１が第１の姿勢にあるときに比して容易に紙葉類が排出されることとなり、また、使用者はその排出された紙葉類を容易に引き出すことができる。なお、前記実施形態と同様に、シャッタ３１が使用者により第２の姿勢への回動操作を受けなくても、排出方向に移動する紙葉類からの力を受けることでシャッタ３１が反時計回りに回動し（押し上げられ）、紙葉類の投入部１３への排出がシャッタ３１によって阻害されることなく紙葉類が投入部１３に適切に排出されるように構成されている。
【００９８】
図８に示す規制部材は、前記第１の実施形態と同様の支持軸１８に外嵌する嵌合部３２ａと、該嵌合部３２ａから延設された延設部３２ｂとを有するシャッタ３２であり、支持軸１８により回動自在に支持されている。シャッタ３２は、通常、一側面が第２側壁１１に面接触し、シャッタ３２の時計回りの回動が第２側壁１１により規制される姿勢とされている。以下、このシャッタの姿勢を第１の姿勢という。
【００９９】
延設部３２ｂは、シャッタ３２が第１の姿勢にあるときに第３側壁１２に向かって突出する突出部３２ｃと、同じくシャッタ３２が第１の姿勢にあるときに、紙葉類細断装置１の前面で起立する使用者に対向するように形成された、複数の小さな凹凸を有する摩擦部３２ｄとを備える。シャッタ３２が第１の姿勢にあるとき、突出部３２ｃの先端とこれに対向する第３側壁１２との距離Ｄは、前記細断限度枚数に相当する束幅に設定されている。
【０１００】
また、シャッタ３２は、図８の点線で示すように、第１の姿勢から反時計回りに、延設部３２ｂの先端３２ｅが第１側壁１０に当接する（以下、このときのシャッタ３２の姿勢
を第２の姿勢という）まで回動可能に構成されている。このとき、第４側壁１４の壁面から第３側壁１２に向かってシャッタ３２が突出する突出量は、第１の姿勢の時に比して大幅に少なくなる。また、シャッタ３２は、第２の姿勢にされると、該シャッタ３２が持つ重量バランスによりその姿勢に維持される。
【０１０１】
紙葉類が投入案内部３に投入されると、該紙葉類が第３側壁１２の傾斜面を滑落する。このとき、投入案内部３に投入された紙葉類が細断限度枚数を超える枚数の紙葉類の束であった場合には、前記細断限度枚数を超える分の紙葉類の進行（滑落）がシャッタ３２により規制され、前記細断限度枚数分の紙葉類は案内路１６に向かって進行する。
【０１０２】
第３側壁１２との間隙を通過した前記細断限度枚数分の紙葉類はシャッタ３２に対し突出部３２ｃの先端３２ｆに摺接しながら進行するため、該紙葉類には、シャッタ３２から該紙葉類の進行方向と逆向きの摩擦力が作用し、一方、シャッタ３２には、前記細断限度枚数分の紙葉類から該紙葉類の進行方向の力（前記摩擦力に対する反作用の力）が作用する。これにより、シャッタ３２は、この力により第２側壁１１の壁面に押し付けられるため、該力が作用しない場合に比して強固に第１の姿勢に固定され、前記細断限度枚数を超える紙葉類の進行（滑落）の規制を確実に行うことができる。
【０１０３】
そして、シャッタ３２と第３側壁１２との間隙を通過した紙葉類の先端が第４側壁１４の壁面に当接すると、該紙葉類は下方に湾曲して案内路１６に進入し、投入センサ２０により案内路１６への進入が検知される。そして、紙葉類は、案内路１６により正方向に回転動作中の第１、第２カッタ２１，２２の噛合部位に案内され、該第１、第２カッタ２１，２２により細断処理がなされる。
【０１０４】
一方、前記メディアが投入案内部３に誤って投入された場合、該メディアの先端が第４側壁１４に当接する。ここで、該メディアに対して第３側壁１２と第５側壁１５との交差位置Ｐ１を中心として図８における反時計回りに回動する力が作用しても、シャッタ３１における前記突出部３２ｃの先端３２ｆでその回動が物理的に規制され、該メディアの先端が第４側壁１４の或る部位に当接した状態が維持される。これにより、メディアが細断処理部４に侵入するのが防止される。
【０１０５】
また、図８に示すように、使用者が、手動でシャッタ３２を第１の姿勢から第２の姿勢に姿勢変化させることで、案内路１６と投入部１３との境界部分における開口が広くなる。したがって、細断処理部４により途中まで細断処理がなされた紙葉類を前記逆転ボタン７の押圧操作によって外部に排出させる場合において、シャッタ３２が第１の姿勢にあるときに比して容易に紙葉類が排出されることとなり、また、使用者はその排出された紙葉類を容易に引き出すことができる。なお、前記実施形態と同様に、シャッタ３２が使用者により第２の姿勢への回動操作を受けなくても、排出方向に移動する紙葉類からの力を受けることでシャッタ３２が反時計回りに回動し（押し上げられ）、紙葉類の投入部１３への排出がシャッタ３２によって阻害されることなく紙葉類が投入部１３に適切に排出されるように構成されている。
【０１０６】
図９に示す実施形態は、規制部材の構成と一部の側壁の形状とが前記各実施形態と異なるものである。
【０１０７】
図９に示すように、本実施形態の紙葉類細断装置においては、前記各実施形態における第１側壁１０の下側部位と第２側壁１１とに相当する部位が断面円弧状となるように形成されている。以下、この部分を本実施形態における第２側壁１１’というものとする。
【０１０８】
規制部材は、前記第１の実施形態と同様の支持軸１８に回動自在に外嵌する構成を有し
て、円柱状周面３３ａと該周面３３ａと交差する平面状周面３３ｂとを備えるシャッタ３３であり、支持軸１８に回動自在に支持されている。
【０１０９】
シャッタ３３は、通常の状態では、平面状周面３３ｂを延長すると第４側壁１４の壁面の所定位置で交差し、その状態からのシャッタ３１の時計回りの回動が後述する規制構造により規制されている。以下、このときのシャッタの姿勢を第１の姿勢という。前記規制構造は、図１０に示すように、例えば、第２側壁１１の適所において、該シャッタ３３の回動方向に沿って形成された有端形状の長穴１１ａ’と、シャッタ３３の円柱状周面３３ａに突出形成されたピン３３ｄとが嵌合するとともに、シャッタ３３が第２の姿勢のときに、前記ピン３３ｄが前記長穴１１ａ’の一端部（上側の端部）１１ａ’−１に当接する構成を有する。
【０１１０】
シャッタ３３が第１の姿勢にあるとき、平面状周面３３ｂと円柱状周面３３ａとが交差する一方の縁部３３ｃと前記第４側壁１４との距離Ｄは、前記細断限度枚数に相当する束幅に設定されている。
【０１１１】
また、平面状周面３３ｂには、該周面３３ｂと円柱状周面３３ａとが交差する一方の縁部３３ｃから外部に所定量だけはみ出した状態でシート体３４が貼付されており、シート体３４は、シャッタ３３が第１の姿勢にあるときに第４側壁１４に向かって突出することで、髪の毛、ネクタイ、ブレスレット或いは着衣の袖等の紙葉類でないものが案内路１６に進入するのを防止又は抑制するものである。なお、シート体３４の一部をはみ出させる形態に代えて、シート体に多数の細毛を接着したブラシを構成し、該ブラシの細毛部分をはみ出させるように構成する形態も想定される。また、投入部１３に投入された細断限度枚数までの紙葉類は、自重により前記シート体３４に抗して案内路１６に向かって進行するとともに、シート体３４は、第１、第２カッタ２１，２２の逆転動作により紙葉類が投入部１３側に排出される際には、該シート体３４が該紙葉類の排出の障害とならないように設計されている。
【０１１２】
また、シャッタ３３は、第１の姿勢から反時計回りに、ピン３３ｄが長穴１１ａ’の一端部（下側の端部）１１ａ’−２に当接する（以下、このときのシャッタ３３の姿勢を第２の姿勢という）まで回動可能に構成されている。このとき、図１１に示すように、シャッタ３３は、第４側壁１４の壁面から第３側壁１２に向かってシャッタ３３が突出する突出量は、第１の姿勢の時に比して大幅に少なくなる。なお、シャッタ３３の第１の姿勢から第２の姿勢への姿勢変化は、主に、使用者により円柱状周面３３ａの押圧により該シャッタ３３が反時計回りに回動されることにより行われる。また、シャッタ３３は、第１の姿勢においても第２の姿勢においても、該シャッタ３３が持つ重量バランスによりその姿勢に維持される。
【０１１３】
シャッタ３３の円柱状周面３３ａの適所には、凹部３３ｅが形成されている。この凹部３３ｅは、シャッタ３３が第２の姿勢にあるときに上方に位置するような部位に形成されており、使用者がシャッタ３３を第２の姿勢から第１の姿勢に容易に回動動作を行えるように爪や指の先端部を引っかけられる部位である。
【０１１４】
第３側壁１２の適所には、例えば受けた圧力に応じた電気信号を出力する感圧シートやメカニカルスイッチ等で構成される圧力検知部としての圧力センサ３５が設置されている。圧力センサ３５は、通常の紙葉類の細断処理の過程では圧力を受けることはなく、例えば、使用者が、無理に指を案内路１６の方向に進入させようとしたときに該指の腹部分から受ける圧力を検知するものであり、指から圧力を受けると、検知信号を前記制御部２６（図４参照）に出力する。制御部２６は、前記検知信号を受信すると、細断中か否かに拘わらず、第１、第２カッタ２１，２２の回転動作を強制的に停止する。
【０１１５】
シャッタ３３が第１の姿勢にある状態において、紙葉類が投入案内部３に投入されると、該紙葉類が第３側壁１２の傾斜面を滑落する。このとき、投入案内部３に投入された紙葉類が細断限度枚数を超える枚数の紙葉類の束であった場合には、前記細断限度枚数を超える分の紙葉類の進行（滑落）がシャッタ３３により規制され、前記細断限度枚数分の紙葉類は案内路１６に向かって進行する。
【０１１６】
第３側壁１２との間隙を通過した前記細断限度枚数分の紙葉類は、シャッタ３３に対し縁部３３ｃに摺接しながら進行するため、該紙葉類には、シャッタ３３から該紙葉類の進行方向と逆向きの摩擦力が作用し、一方、シャッタ３３には、前記細断限度枚数分の紙葉類から該紙葉類の進行方向の力（前記摩擦力に対する反作用の力）が作用する。これにより、シャッタ３３は、この力により第２側壁１１の壁面に押し付けられるため、該力が作用しない場合に比して強固に第１の姿勢に固定され、前記細断限度枚数を超える紙葉類の進行（滑落）の規制を確実に行うことができる。
【０１１７】
そして、シャッタ３３と第３側壁１２との間隙を通過した紙葉類の先端が第４側壁１４の壁面に当接すると、該紙葉類は下方に湾曲して案内路１６に進入し、投入センサ２０により案内路１６への進入が検知される。そして、紙葉類は、案内路１６により正方向に回転動作中の第１、第２カッタ２１，２２の噛合部位に案内され、該第１、第２カッタ２１，２２により細断処理がなされる。
【０１１８】
一方、前記メディアが投入案内部３に誤って投入された場合、該メディアの先端が第４側壁１４に当接する。ここで、該メディアに対して第３側壁１２と第５側壁１５との交差位置Ｐ１を中心として図９における反時計回りに回動する力が作用しても、シャッタ３３の縁部３３ｃ又は円柱状周面３３ａの適所でその回動が物理的に規制され、該メディアの先端が第４側壁１４の或る部位に当接した状態が維持される。これにより、メディアが細断処理部４に侵入するのが防止される。
【０１１９】
また、図９に示すように、使用者が、手動でシャッタ３３を第１の姿勢から第２の姿勢に姿勢変化させることで、案内路１６と投入部１３との境界部分における開口が広くなる。したがって、細断処理部４により途中まで細断処理がなされた紙葉類を前記逆転ボタン７の押圧操作によって外部に排出させる場合に、シャッタ３３が第１の姿勢にあるときに比して容易に紙葉類が排出されることとなり、また、使用者はその排出された紙葉類を容易に引き出すことができる。なお、前記実施形態と同様に、シャッタ３３が使用者により第２の姿勢への回動操作を受けなくても、排出方向に移動する紙葉類から力を受けることでシャッタ３３が反時計回りに回動し（押し上げられ）、紙葉類の投入部１３への排出がシャッタ３３によって阻害されることなく紙葉類が投入部１３に適切に排出されるように構成されている。
【０１２０】
（２）案内路１６への指の無理な進入を検知する態様は、前記変形形態（１）における圧力センサ３５を用いるものに限らず、次のような構成でもよい。図１３は、本実施形態における投入部及び細断処理部の構造を示す図、図１４〜図１６は、トルク変更部４０及び過回動検知部５０の構造を示す図である。なお、本実施形態は、前記変形形態（１）と案内路１６への指の無理な進入を検知する構造が主に異なるものであり、それ以外の点については略同様であるから、同一の部材等については同一の番号を付し、異なる点についてのみ説明することとする。
【０１２１】
図１３、図１４に示すように、本実施形態の紙葉類細断装置は、前記圧力センサ３５に代えて、トルク変更部４０と、過回動検知部５０とを備えている。
【０１２２】
図１４に示すように、トルク変更部４０は、第２側壁１１’の適所にシャッタ３３の回動方向に沿って形成された長孔１１ｂ’と、シャッタ３３の円柱状周面３３ａに突出形成されたピン３３ｆと、当該紙葉類細断装置の図略のフレームに設置された板バネ４１とを備えて構成されている。前記長孔１１ｂ’にピン３３ｆが嵌合している。シャッタ３３が図１３の時計周りの方向に回動する場合に、ピン３３ｆが前記長孔１１ｂ’の一端部１１ｂ’−１に当接するよりも前に前記板バネ４１の表面と当接する位置に板バネ４１が設置されている。
【０１２３】
図１５に示すように、板バネ４１の裏面には、一対の第１バネガイド４２，４３が所定の距離だけ離間して固設されている一方、前記板バネ４１の表面には、一対の第２バネガイド４４，４５が前記一対の第１バネガイド４２，４３の離間距離より小さい距離だけ離間して固設されている。
【０１２４】
板バネ４１は、通常の紙葉類の細断処理の過程ではピン３３ｆから受ける圧力が小さいことからほとんど湾曲することはなく、例えば、シャッタ３３が第１の姿勢にある状態で、使用者が、指を案内路１６の方向に無理に進入させようとしたときに、該指からの押圧力によってシャッタ３３が図１３の時計回りに比較的大きく回動し、ピン３３ｆが当該板バネ４１の弾性力（反発力）に抗して該板バネ４１を押圧しながら前記長孔１１ｂ’の端部１１ｂ’−１側に移動（以下、過回動という）することで、前記各バネガイド４２〜４５と接触する点を支点として湾曲する。ここで、板バネ４１の弾性力を比較的小さなものにすることにより、シャッタ３３の過回動を小さく抑え、且つ、板バネ４１の湾曲前後で回転トルクに比較的大きなトルク差を生成することができる。また、第１バネガイド４２，４３の離間距離を変更することで、板バネ４１の弾性力の大きさを変化させることができ、これにより、シャッタ３３の回転トルクを変更・調整することができる。
【０１２５】
過回動検知部５０は、シャッタ３３の円柱状周面３３ａの適所に設置された永久磁石４６と、ホール素子４７とを備えて構成されている。基板４８は、第２側壁１１’の適所に形成された図略の切欠き部を介してシャッタ３３の円柱状周面３３ａに臨み、第２側壁１１’に取付部材４９を介して取り付けられている。ホール素子４７は、前記磁気センサの一例であり、前記基板４８の適所に設置されている。
【０１２６】
前記永久磁石４６とホール素子４７とは、シャッタ３３が第１の姿勢にあるときにホール素子４７からの出力が最大となる位置に設置されており、過回動検知部５０は、前記シャッタ３３が前記第１の姿勢を含む図１３の時計回り及び反時計回りの方向にそれぞれ微小角度の誤差範囲φ内にあるときに、オン信号を制御部２６に出力する。
【０１２７】
したがって、シャッタ３３が過回動した場合や、シャッタ３３が手動で回動操作された場合、第１、第２カッタ２１，２２の逆転動作により該第１、第２カッタ２１，２２に噛み込まれた紙葉類が投入部１３側に排出される際に該紙葉類の押圧力によりシャッタ１９が第１の姿勢から第２の姿勢に向けて姿勢変化する場合等には、過回動検知部５０はオフの状態にある。
【０１２８】
制御部２６は、過回動検知部５０からオフ信号を取得すると、細断中か否かに拘わらず、第１、第２カッタ２１，２２の回動動作を強制的に停止する。
【０１２９】
以上のような構成によっても、案内路１６への指の無理な進入を確実に検知することができる。なお、前記板バネ４１に代えて、図１７に示すように、ピン３３ｆからの押圧力を受けて収縮するコイルバネ５１や、図示していないが、トーションバネ、エアダンパ、オイルダンパ等も採用可能である。また、前記各バネやダンパを採用する場合に、過回動の発生前後でシャッタ３３のトルクに明確な差をつけるために、前記各バネやダンパの初動の緩やかな荷重領域を予め抑えて、初期から大きな荷重を生成するための与圧構造を設けるのが好ましい。
【０１３０】
また、制御部２６は、過回動検知部５０からオフ信号を取得すると、細断中か否かに拘わらず、第１、第２カッタ２１，２２の回転動作を強制的に停止するようにしたが、第１、第２カッタ２１，２２の回転動作の一時的に停止して一定時間逆転動作を行った後に完全停止するようにしてもよい。さらには、第１、第２カッタ２１，２２による引き込み力を瞬間的に断絶するために、細断方向に回転しているモータに対して機械的ブレーキや電気的制動機構を設けてブレーキをかけたり、図略のモータシャフトと第１、第２カッタ２１，２２のカッタ軸間にあるトルク伝達部品にトルクの伝達を断絶する機構を設けて、前記モータから第２カッタ２１，２２へのトルクの伝達を遮断したりするようにするとよい。また、過回動検知部５０を、永久磁石４６とホール素子４７とを用いて構成したが、投受光器により構成してもよい。
【０１３１】
（３）前記第１の実施形態におけるシャッタ１９に対して更に次のような構成を付加するとより好ましい。図１２に示すように、本実施形態では、例えば一端が第１側壁１０の適所（以下、取付点Ｑ１という）に、他端がシャッタ１９の把持部１９ｃの適所（以下、取付点Ｑ２という）に付勢部材（前記付勢部材の一例：例えばバネ）２９が取り付けられている。
【０１３２】
シャッタ１９の回動による前記取付点Ｑ２の軌跡のうち或る点Ｑ２’に前記取付点Ｑ２が位置するとき、付勢部材２９は、自然長より短く且つ採り得る長さの中で最短となり、取付点Ｑ２が前記点Ｑ２’より低い位置に位置するときには、付勢部材２９は、延び側への付勢力によりシャッタ１９を時計回りに回動させる一方、取付点Ｑ２が前記点Ｑ２’より高い位置に位置するときには、付勢部材２９は、延び側への付勢力によりシャッタ１９
を反時計回りに回動させる。
【０１３３】
これにより、シャッタ１９を手動で回動させる場合に、前記取付点Ｑ２が前記点Ｑ２’を超えると、その回動方向に向けて付勢部材２９による付勢力が補助的に作用するため、使用者は、前記取付点Ｑ２が前記点Ｑ２’を超えるように少量だけシャッタ１９を回動させるだけで、シャッタ１９が独りでに第１の姿勢又は第２の姿勢まで姿勢変化する。これにより、シャッタ１９の操作性を向上させることができる。なお、この技術思想は、前記変形形態（１）の各構成にも適用可能である。
【０１３４】
（４）前記実施形態では、第３側壁１２と案内路１６との形状を利用して、メディアの細断処理部４への進入を規制するようにしたが、案内路１６の形状のみを利用して、メディアの細断処理部４への進入を規制するようにしてもよい。
【０１３５】
（５）細断能力以上の紙葉類が案内路１６に進入するのを規制する規制部材の外周形状は、紙葉類の投入方向と同一方向となる回動方向の終端で第３側壁１２との距離が最小となる部位以外の部位全てがその距離より大きくなる必要は無く、少なくとも第３側壁１２との距離が最小となる部位の近傍（周辺）の部位がその距離より大きくなる形状であればよい。
【図面の簡単な説明】
【０１３６】
【図１】紙葉類細断装置の第１の実施形態の構成を示す外観斜視図である。
【図２】図１におけるＣ−Ｃ線で切断した投入部及び細断処理部の断面図である。
【図３】シャッタの別の回動姿勢を示す図である。
【図４】紙葉類細断装置の電気的な構成の一例を示すブロック図である。
【図５】制御部による処理を示すフローチャートである。
【図６】本発明の変形形態を示す図である。
【図７】本発明の変形形態を示す図である。
【図８】本発明の変形形態を示す図である。
【図９】本発明の変形形態を示す図である。
【図１０】本発明の変形形態を示す図である。
【図１１】本発明の変形形態を示す図である。
【図１２】本発明の変形形態を示す図である。
【図１３】本発明の変形形態を示す図である。
【図１４】本発明の変形形態を示す図である。
【図１５】本発明の変形形態を示す図である。
【図１６】本発明の変形形態を示す図である。
【図１７】本発明の変形形態を示す図である。
【符号の説明】
【０１３７】
１    紙葉類細断装置
１ａ  本体
２    開閉扉
３    投入案内部
４    細断処理部
５    屑箱収納部
６    細断開始ボタン
７    逆転ボタン
８    停止ボタン
９    屑箱
１０  第１側壁
１１，１１’  第２側壁
１１ａ  長穴
１１ｂ’  長孔
１２  第３側壁
１３  投入部
１４  第４側壁
１５  第５側壁
１６  案内路
１７  補強部材
１８  支持軸
１９  シャッタ
１９ａ  嵌合部
１９ｂ  平板部
１９ｃ  把持部
２０  投入センサ
２１，２２  第１、第２カッタ
２３  細断刃
２３ａ  谷部
２４  細断刃
２５  モータ
２６  制御部
２７  カウント部
２８  記憶部
２９  付勢部材
３０，３１，３２，３３  シャッタ
３０ａ  嵌合部
３０ｂ  三角部
３０ｃ  把持部
３１ａ，３１ｂ  第１、第２角部
３１ｃ  鋭角部
３１ｄ  鈍角部
３２ａ  嵌合部
３２ｂ  延設部
３２ｃ  突出部
３２ｄ  摩擦部
３２ｅ，３２ｆ  先端
３３ａ  円柱状周面
３３ｂ  平面状周面
３３ｃ  縁部
３３ｄ，３３ｆ  ピン
３３ｅ  凹部
３４  シート体
３５  圧力センサ
４０  トルク変更部
４１  板バネ
４２，４３  第１バネガイド
４４，４５  第２バネガイド
４６  永久磁石
４７  ホール素子
４８  基板
４９  取付部材
５０  過回動検知部
５１  コイルバネ
Ｄ  離間距離
Ｈ１  頂点
Ｈ２  頂点
Ｌ  延長線
Ｐ１  交差位置
Ｐ２  交差位置
Ｐ３  交差位置
Ｑ１  取付点
Ｑ２  取付点
Ｙ  噛合部位
【図１】
2008105002.tif 000003
【図２】
2008105002.tif 000004
【図３】
2008105002.tif 000005
【図４】
2008105002.tif 000006
【図５】
2008105002.tif 000007
【図６】
2008105002.tif 000008
【図７】
2008105002.tif 000009
【図８】
2008105002.tif 000010
【図９】
2008105002.tif 000011
【図１０】
2008105002.tif 000012
【図１１】
2008105002.tif 000013
【図１２】
2008105002.tif 000014
【図１３】
2008105002.tif 000015
【図１４】
2008105002.tif 000016
【図１５】
2008105002.tif 000017
【図１６】
2008105002.tif 000018
【図１７】
2008105002.tif 000019